(57)【要約】【課題】駐車場への車両の入出庫管理と、預かったキーの保管管理と、駐車料金の精算管理とを相互にかかわりを持たせることにより、入出庫時に於ける処理作業の迅速化を図ると共に、キーの受け渡しの間違いを防止できるように工夫したキー預かりボックスを備えた駐車場管理装置を提供する。【解決手段】駐車券発行機１０の発券釦１１又は１２をＯＮすると、駐車可能な駐車パレット又は駐車スペースが検索され、駐車可能な場合はそのパレット番号又はスペース番号を記録した駐車券が発行されると共に、キー預かりボックス３０の決められたキーボックス３１の扉３１Ｓが開いてキーの預け入れを可能と成し、出庫時には、自動料金精算機２０で料金の精算を済ませると、キーを収納したキーボックス３１の扉３１Ｓが開いて、キーの取出しを可能にする。【選択図】　　　図２
2004062292.tif 000002
【特許請求の範囲】
【請求項１】
車両の入庫に際して、車両のキーをキー預かりボックスに預けるように構成したキー預かりボックスを備えた駐車場管理装置であって、
発券釦を押すと入庫時刻を記録した駐車券を発行する駐車券発行機と、駐車場設備に複数設けられる駐車パレット又は駐車スペースに対応する複数のキーボックスを備えたキー預かりボックスと、上記駐車券に記録されている入庫時刻に基づいて駐車料金の計算と精算を行う駐車料金精算機とを備えると共に、
上記駐車券発行機及び駐車料金精算機とキー預かりボックスとの間には、
車両の入庫に際して、上記駐車券発行機の発券釦を押すと、入庫可能な駐車パレット又は駐車スペースを検索してこれを指定し、指定した駐車パレット又は駐車スペースの番号を上記発行される駐車券に記録すると共に、これ等指定された駐車パレット番号又は駐車スペース番号に対応する上記キーボックスの扉を開いて車両のキーの預け入れを可能にする入庫管理手段と、
車両の出庫に際して、上記の駐車券を駐車料金精算機に挿入して駐車料金の精算を済ませると、駐車券に記録されている上記駐車用パレット番号又は駐車スペース番号に対応するキーボックスの扉を開いて、預けたキーの取出しを可能にする出庫管理手段、
とを備えた管理コンピュータを具備せしめたことを特徴とするキー預かりボックスを備えた駐車場管理装置。
【請求項２】
指定された駐車用パレットへの車両の入庫と出庫を、車両を搬送用パレットに乗せて行うと共に、前記管理コンピュータの入庫と出庫の各管理手段には、入庫に際して、車両を乗せた搬送用パレットを指定された駐車パレットの位置に案内する入庫案内手段と、出庫に際して、駐車料金の精算を済ませた車両を乗せた搬送用パレットを出庫口に案内する出庫案内手段が具備されていることを特徴とする請求項１に記載のキー預かりボックスを備えた駐車場管理装置。
【請求項３】
車両のキーをキーボックスに預け入れるに際して、前記扉の開放が、駐車券発行機による駐車券の発行が成され、且つ、直前に入庫した車両の入庫処理と、キーボックスへの当該車両のキーの預け入れが済んで扉が閉じられた後に行われることを特徴とする請求項１に記載のキー預かりボックスを備えた駐車場管理装置。
【請求項４】
入庫時に、駐車券発行機が同じ駐車券を２枚発行するように構成したことを特徴とする請求項１に記載のキー預かりボックスを備えた駐車場管理装置。
【請求項５】
キー預かりボックスに設けたキーボックスが、駐車場設備に設けた駐車パレット又は駐車スペース毎に一対一の状態に設けられ、且つ、各キーボックスに設けた扉には、扉を閉じると自動的にロックが掛かり、入庫と出庫に際して駐車券の発行と駐車料金の精算が済むと、上記のロックを外して扉を開放状態にすることができるロック開閉装置が具備されていることを特徴とする請求項１に記載のキー預かりボックスを備えた駐車場管理装置。
【発明の詳細な説明】
【０００１】
【発明の属する技術分野】
本発明は、駐車場管理装置に関するものであって、特に、車両を入庫及び出庫させるに当って、これ等の操作を全て係員に行わせると共に、車両のキーをキー預かりボックスに預けるように構成したキー預かりボックスを備えた駐車場管理装置に関するものである。
【０００２】
【従来の技術】
例えば特開平４−１８５８７３号公報や、特開２００１−１８２３５２に記載されているような立体式駐車場では、駐車設備への車両の入庫処理を、駐車場の係員がドライバー（利用者）の代りに行っているが、その場合、係員は利用者から車両とキーを預かって入庫を行うことになる。従って、預かったキーはこれを紛失したり、間違えたり、いたずらされたりすることが無いように、注意して大切に保管する必要がある。
【０００３】
そこで、上記後者の公報に記載されているように、預かったキーを専用のキーボックスに入れて管理することが考えられた。
【０００４】
【発明が解決しようとする課題】
しかし、預かったキーをキーボックスに入れて管理するだけでは、預かったキーがどのキーボックスに入っているのかを容易に確認することが難しく、況して多くの車両を駐車させる大型駐車場では、キーボックスの数が多く成って預かったキーの所在とその確認が頗る煩雑化し、更にこの面倒な処理に駐車券の発行処理や、駐車料金の精算処理が加わるため、車両の入庫処理や出庫処理が停滞してしまう問題があった。
【０００５】
そこで本発明の技術的課題は、駐車場への車両の入出庫管理と、預かったキーの保管管理と、駐車料金の精算管理とを相互にかかわりを持たせることにより、入出庫時に於ける処理作業の迅速化を図ると共に、キーの受け渡しの間違いを防止できるように工夫したキー預かりボックスを備えた駐車場管理装置を提供することである。
【０００６】
【課題を解決するための手段】
上記の技術的課題を解決するために本発明で講じた手段は以下の如くである。
【０００７】
（１）　前記請求項１に記載の如く、車両の入庫に際して、車両のキーをキー預かりボックスに預けるように構成したキー預かりボックスを備えた駐車場管理装置であって、発券釦を押すと入庫時刻を記録した駐車券を発行する駐車券発行機と、駐車場設備に複数設けられる駐車パレット又は駐車スペースに対応する複数のキーボックスを備えたキー預かりボックスと、上記駐車券に記録されている入庫時刻に基づいて駐車料金の計算と精算を行う駐車料金精算機とを備えると共に、上記駐車券発行機及び駐車料金精算機とキー預かりボックスとの間には、車両の入庫に際して、上記駐車券発行機の発券釦を押すと、入庫可能な駐車パレット又は駐車スペースを検索してこれを指定し、指定した駐車パレット又は駐車スペースの番号を上記発行される駐車券に記録すると共に、これ等指定された駐車パレット番号又は駐車スペース番号に対応する上記キーボックスの扉を開いて車両のキーの預け入れを可能にする入庫管理手段と、車両の出庫に際して、上記の駐車券を駐車料金精算機に挿入して駐車料金の精算を済ませると、駐車券に記録されている上記駐車用パレット番号又は駐車スペース番号に対応するキーボックスの扉を開いて、預けたキーの取出しを可能にする出庫管理手段、とを備えた管理コンピュータを具備せしめたことを特徴とする。
【０００８】
（２）　前記請求項２に記載の如く、指定された駐車用パレットへの車両の入庫と出庫を、車両を搬送用パレットに乗せて行うと共に、前記管理コンピュータの入庫と出庫の各管理手段には、入庫に際して、車両を乗せた搬送用パレットを指定された駐車パレットの位置に案内する入庫案内手段と、出庫に際して、駐車料金の精算を済ませた車両を乗せた搬送用パレットを出庫口に案内する出庫案内手段が具備されていることを特徴とする。
【０００９】
（３）　前記請求項３に記載の如く、車両のキーをキーボックスに預け入れるに際して、前記扉の開放が、駐車券発行機による駐車券の発行が成され、且つ、直前に入庫した車両の入庫処理と、キーボックスへの当該車両のキーの預け入れが済んで扉が閉じられた後に行われることを特徴とする。
【００１０】
（４）　前記請求項４に記載の如く、入庫時に、駐車券発行機が同じ駐車券を２枚発行するように構成したことを特徴とする。
【００１１】
（５）　前記請求項５に記載の如く、キー預かりボックスに設けたキーボックスが、駐車場設備に設けた駐車パレット又は駐車スペース毎に一対一の状態に設けられ、且つ、各キーボックスに設けた扉には、扉を閉じると自動的にロックが掛かり、入庫と出庫に際して駐車券の発行と駐車料金の精算が済むと、上記のロックを外して扉を開放状態にすることができるロック開閉装置が具備されていることを特徴とする。
【００１２】
前記（１）で述べた手段によれば、駐車券発行機の発券釦を押すと、駐車可能な駐車パレット又は駐車スペースを検索して、これ等のパレット番号又はスペース番号を指定するだけではなく、これ等指定した番号を駐車券に記録して発行するため、入庫から出庫に至る迄の全ての管理業務を、上記駐車券に記録されている駐車パレット番号又は駐車スペース番号に従って取扱うことができると共に、駐車料金の精算業務もこれ等の番号に基づいて行うことができるものであって、その結果、車両の入出庫時における各処理作業の迅速化を可能と成し、且つ、入出庫操作の間違いや精算の間違いと言ったミスを防止することを可能にする。
【００１３】
更に上記（１）で述べた手段によれば、駐車可能な駐車パレット又は駐車スペースの番号が指定されると、その番号に対応するキー預かりボックスのキーボックスの扉が開くため、係員は入庫する車両のキーを間違ったキーボックスに入れてしまうことがなく、対応するキーボックスに正しく預け入れることができると共に、出庫時には駐車料金の精算を済ませると、上記キーボックスの扉が開いてキーの取出しを可能にするため、間違ったキーの取出しを防止でき、且つ、駐車料金の徴収処理を間違いなく確実に行うことを可能にする。
【００１４】
前記（２）で述べた手段によれば、指定された駐車パレットへの車両の入庫と出庫の各作業を、車両を搬送用パレットに乗せて画面等の案内表示を見ながら係員が全自動的又は半自動的に、且つ、迅速に行うことを可能にする。
【００１５】
前記（３）で述べた手段によれば、車両を指定された駐車パレット又は駐車スペースへ入庫させる際に、直前に入庫した車両の入庫処理が全て完了した後でないと、つまり、キーボックスへのキーの預け入れが済んで扉が閉じられた後でないと、当該駐車パレット又は駐車スペースに対応するキーボックスの扉が開かないため、係員が間違って他のキーボックスへキーを入れてしまうことがなく、キーを決められたキーボックスに正しく預け入れることを可能にする。
【００１６】
前記（４）で述べた手段によれば、同時に２枚発行した駐車券のうち、１枚を利用客に渡し、残りの１枚を係員がキーを預け入れるキーボックス内にキーと一緒に入れて保管することにより、出庫時にこれ等２枚の駐車券を照合することにより、キーの間違いや、キーの不正使用を防止することを可能にする。
【００１７】
前記（５）で述べた手段によれば、駐車場設備に設けた駐車パレット又は駐車スペースと、キー預かりボックスの各キーボックスとが１対１の関係に作られており、而かも、各キーボックスにキーを入れて扉を閉じると自動的にロックが掛かり、また、駐車料金の精算を済ませると、精算を済ませた車両のキーが入っているキーボックスのロックが外れて扉を開放状態にするため、係員は当該出庫車両のキーを間違いなく利用客に返却することができる。
【００１８】
【発明の実施の形態】
以下に、上述した本発明に係るキー預かりボックスを備えた駐車場管理装置の実施の形態を図面と共に説明すると、図１は本発明を実施した駐車場の一例を示した外観図で、図中、ＰＫは内部を複数階に構成した駐車場設備、ＰＥは駐車場設備ＰＫに設けた車両の入出口、ＰＳは駐車場のスペース、１０と２０は入出口ＰＥに設置した駐車券発行機と駐車料金精算機である。
【００１９】
図２は本発明の全体を説明した構成図で、図中、ＸＴは駐車場設備ＰＫの管理室、１は管理室ＸＴに設置した管理コンピュータ、３０は同じく管理室ＸＴに設置したキー預かりボックスで、このキー預かりボックス３０には駐車場設備ＰＫ内に多数設けた駐車パレット（車室）及び駐車スペース（平面スペース）に対応する数のキーボックス３１…（図４参照）が設けられ、各キーボックス３１…には図４に示すように透明小窓３１Ａを備えた開閉自在な扉３１Ｓと、この扉３１Ｓを閉じた状態にロックする一般的な構造のロック装置３１Ｂと、上記駐車パレット及び駐車スペース毎に付された番号３１Ｘと、ロックの開閉状態を表示する緑ＬＥＤ３１Ｒと赤ＬＥＤ３１Ｇが夫々設けられている。
【００２０】
図３は、上記管理コンピュータ１の表示部１Ｒに表示される機械式駐車パレットの配置図２と、平面式駐車スペースの配置図３を示した管理画面で、機械式駐車パレットの配置図２には、駐車場設備ＰＫに立体式に設けた全ての駐車パレット（図示省略）に相当するパレット表示２Ａ…が各駐車パレット番号２Ｂ…と共に画面表示され、また、平面式駐車スペースの配置図３には、駐車場設備ＰＫ内に設けた全ての駐車スペース（図示省略）に相当するスペース表示３Ａ…が各駐車スペース番号３Ｂ…と共に画面表示されている。尚、上記のパレット番号２Ｂ…とスペース番号３Ｂは、前記キーボックス３１の上側部に付されているパレット及びスペース番号３１Ｘに対応させて表示されている。
【００２１】
また、上記画面表示されている全てのパレット表示２Ａ…及びスペース表示３Ａ…には、現在の駐車状況が容易に判断できるように文字と色彩及び模様によって駐車の状況を識別することができる駐車状況表示２Ａ′並びに３Ａ′が一体に表示されている。
【００２２】
即ち、各パレット表示２Ａ及びスペース表示３Ａの駐車状況表示２Ａ′並びに３Ａ′には、例えば図示したように空車、入庫待ち、在車、予約、入庫中、月極、出庫中、出庫待ちの８種類の表示が存在する。
「空車」は、駐車している車両がなく、駐車可能で駐車券発行可能な状態を示す。
「入庫待ち」は、駐車券発行済みで、他の車両が入庫又は出庫中であって、入庫待ちの状態を示す。
「在車」は、駐車パレット又は駐車スペースに車両が駐車している状態を示す。
「予約」は、予約が入っていて、駐車できない状態を示す。
「入庫中」は、駐車パレット又は駐車スペースに車両を入庫している最中の状態を示す。
「月極」は、月極車両用に確保されている駐車パレット又は駐車スペースを示す。
「出庫中」は、車両が出庫している最中の状態を示す。
「出庫待ち」は、料金精算済みであるが、他の車両が入庫中又は出庫中で、出庫待ちの状態になることを示す。
【００２３】
更に管理コンピュータ１の表示部１Ｒには、駐車パレット及び駐車スペースにおける現在の在車台数、空車台数、満車台数、月極台数の各トータルをリアルタイムに表示する管理表示部４と、入庫待ちの状態にある駐車パレット及び駐車スペースの各番号２Ｂ，３Ｂを表示する入庫待ち表示部５Ａと、出庫中と入庫中の上記パレット番号及びスペース番号を表示する表示部５Ｂ，５Ｃと、出庫待ちの状態にある上記パレット番号及びスペース番号を表示する表示部５Ｄを、夫々リアルタイムに表示することができるデータ表示部５が設けられていて、係員等がひと目で駐車の状況を判断できる仕組に成っている。尚、図中６は車両を乗せて駐車パレットの位置に運搬したり、これを搬出したりする搬送パレット（図示省略）の軌跡を明示するカーソル（エレベータ）を示す。
【００２４】
前述した駐車券発行機１０には、図２に示すように平面式駐車スペース用駐車券の発券釦１１と、機械式駐車パレット用駐車券の発券釦１２が設けられていて、車両の入庫に際して利用客がこれ等いずれかの発券釦１１又は１２を押すと、通信線１０Ｓを通して管理コンピュータ１に発券要求が送られ、管理コンピュータ１はこの発券要求に従って現在駐車可能な駐車パレット又は駐車スペースをメモリー検索して、その指定番号２Ｂ又は３Ｂを駐車券発行機１０に回答し、駐車券発行機１０はその回答に基づいて駐車可能な駐車パレット又は駐車スペースの指定番号２Ｂ又は３Ｂと、現在の入庫時刻を夫々記録した２枚の駐車券を発券口１３より発行する仕組に成っている。
【００２５】
更に上記の管理コンピュータ１は、通信線３０Ｓを通してキー預かりボックス３０に対し、前記駐車可能な指定番号２Ｂ又は３Ｂに対応するキーボックス３１のロック装置３１Ｂにロック開錠信号を送るため、扉３１Ｓがバネ圧等で自動的に開いて、係員による入庫車両のキーと１枚の駐車券の預け入れを可能にする。また、管理コンピュータ１は上記扉３１Ｓの開放に前後して、入庫車両を乗せた搬送パレットの作動装置（図示省略）に入庫の作動信号を送って、搬送パレットを指定した駐車パレット（車室）に向けて自動的に搬送作動するか、又は、係員による搬送作動をガイドすることにより、車両の入庫を可能にする。尚、車両を駐車スペースに入庫させる場合は、係員が車両を運転して決められた駐車スペースに入庫する。
【００２６】
決められた駐車パレット又は駐車スペースへの車両の入庫が済んだら、係員が預かったキーと１枚の駐車券（控駐車券）を上記扉３１Ｓが開いているキーボックス３１に収納し、次いで、係員が開いている扉３１Ｓを閉じて再びロック状態にすると共に、利用客に残り１枚の駐車券を渡すことにより、入庫処理を終える。また、上記の管理コンピュータ１は、上記入庫処理に当って指定した駐車パレット又は駐車スペースのメモリデータを「空車」から「在車」に切替える一方、前記表示部１Ｒのパレット表示２Ａ又はスペース表示３Ａの駐車状況表示２Ａ′或は３Ａ′を、「空車」から「入庫待ち」→「入庫中」→「在車」へと順次入庫の状況に合せて切替え表示すると共に、前記管理表示部４とデータ表示部５の各表示を入庫の状況に合せて順次切替えて表示する仕組に成っている。
【００２７】
車両の出庫に際しては、自動料金精算機２０の差込口２２に利用客が持参した残り１枚の駐車券を挿入し、表示部２１に表示された駐車料金を精算することによって車両の出庫が可能となる。
【００２８】
管理コンピュータ１は、自動料金精算機２０から精算済みデータを受けると、駐車券から読み取られた指定番号２Ｂ又は３Ｂに基づいて、キー預かりボックス３０に対して、当該指定番号２Ｂ又は３Ｂに対応するキーボックス３１のロック装置３１Ｂにロック開錠の信号を送って扉３１Ｓをバネ圧等で開き、係員によるキーと控駐車券の取出しを可能にする。キーと控駐車券の取出しが済んだら、係員が開いている扉３１Ｓを閉じることにより、再びロック装置３１Ｂがロック状態にＯＮされると共に、管理コンピュータ１は出庫車両を乗せた搬送パレットの作動装置に出庫の作動信号を送って、搬送パレットを前記入出口ＰＥに向けて自動的に搬送作動するか、又は、係員による搬送作動をガイドすることにより、車両の出庫を可能にする。
【００２９】
尚、車両が駐車スペースに駐車している場合は、係員がキーボックス３１から取出したキーを用いて車両を入出口ＰＥまで運転することにより、出庫を行う。最後に、係員がキーボックス３１から取出した控駐車券と、利用客が持参した駐車券を照合することにより、出庫処理を終える。
【００３０】
また、上記の出庫処理に当って、管理コンピュータ１は出庫を終えた駐車パレット又は駐車スペースのメモリデータを「在車」から「空車」に切替える一方、前記表示部１Ｒのパレット表示２Ａ又はスペース表示３Ａの駐車状況表示２Ａ′或は３Ａ′を、「在車」から「出庫待ち」→「出庫中」→「空車」へと順次出庫の状況に合せて切替表示すると共に、前記管理表示部４とデータ費部５の各表示を出庫の状況に照して順次切替えて表示する仕組に成っている。
【００３１】
図４は、本発明の電機的構成と各信号及びデータの流れを説明したブロック図であって、図中、２，３，４，５は前記管理コンピュータ１に設けたキー管理ソフトと、データ分配制御ソフト、駐車位置管理ソフト、及び、利用実績帳票であり、４０は管理コンピュータ１と駐車券発行機１０及び自動料金精算機２０の間に設けたコンバータを示す。
【００３２】
尚、各キーボックス３１毎に設けた緑ＬＥＤ３１Ｒと赤ＬＥＤ３１Ｇは、発券釦１１又は１２のＯＮによって駐車可能な駐車パレット又は駐車スペースが決まった入庫時に、当該パレット又はスペースに対応するキーボックス３１の緑ＬＥＤ３１Ｒが点滅してボックスの位置を知らせる一方、控駐車券とキーを収めて扉３１Ｓを閉じた場合、即ち、決められたパレット又はスペースに入庫を済ませた場合は、赤ＬＥＤ３１Ｇを点灯して緑ＬＥＤ３１Ｒを消灯し、在車状態を明示する。また、駐車料金の精算を済ませた出庫時には、該当するキーボックス３１の赤ＬＥＤ３１Ｇが点滅してその位置を知らせると共に、キーと控駐車券の取出しを済ませて扉３１Ｓを閉じると、緑ＬＥＤ３１Ｒを点灯し、赤ＬＥＤ３１Ｇを消灯して、空車状態を明示する仕組に成っている。
【００３３】
図５は、上記本発明による入庫時の処理動作を説明したフローチャートであって、入庫処理がステップＳ１の機械駐車の場合、即ち、搬送パレットを用いて車両を機械式に駐車させる場合は、先ずステップＳ３で係員がドライバーから車両のキーを預かり、次いで、ステップＳ４に進んで駐車券発行機１０の機械式駐車用発券釦１２をＯＮすると、ステップＳ６に進んで管理コンピュータ１から駐車可能なパレットデータが伝達され、次いで、ステップＳ５で駐車券発行機１０が入庫すべきパレット番号と入庫時刻を記録した２枚の駐車券を発行する。
【００３４】
次のステップＳ７では、係員が発行された駐車券の１枚を利用客に手渡し、次いで、ステップＳ８に進んで前車の入庫処理が済んでいるか否かが判定され、済んでいない場合は前車の入庫処理を待ち、入庫処理済みの場合はステップＳ９に進んで該当するキーボックス３１の扉３１Ｓを開き、次いで、ステップＳ１０に進んで係員が車両を乗せた搬送パレットを移動操作して、車両を決められた駐車パレット（車室）に駐車するか、又は、管理コンピュータ１による自動制御によって搬送パレットを自動走行させて、車両を決められたパレットに駐車させる。
【００３５】
その後、ステップＳ１１に進んで係員がドライバーから預かったキーと、控駐車券をキー預かりボックス３０の決められたキーボックス３１に入れ、扉３１Ｓを閉じてロックすることにより入庫処理を終えるが、ステップＳ２の如く両車を駐車スペースに平面駐車する場合は、ステップＳ１２で係員が平面駐車用の発券釦１１をＯＮすると、ステップＳ１３に進んで駐車券発行機１０が入庫すべき駐車スペース番号と入庫時刻を記録した２枚の駐車券を発行して、前記ステップＳ８に進み、次いで前記ステップＳ９の処理を行った後、ステップＳ１４に進んで係員が車両を平面駐車スペースに駐車させた後、前記ステップＳ１１の処理を行って入庫処理を終える。
【００３６】
図６は図５に示した手順に従って駐車パレット又は駐車スペースに機械駐車及び平面駐車させた車両を、出庫させる場合の処理手順を説明したフローチャートであって、ステップＳ１５及びＳ１６の機械駐車及び平面駐車のいずれの場合も、先ず、ステップＳ１７に進んで自動料金精算機２０を用いて駐車料金を精算する。次いで、ステップＳ１８に進んで精算完了後に、キー預かりボックス３０の指定されたキーボックス３１の扉３１Ｓが自動的に開いて、車両のキーの取出しを可能にすると共に、係員による車両の移動を可能にする。次いで、ステップＳ１９に進んで入出口ＰＥに移動されて来た車両に利用客が乗り込んで出庫させることにより、出庫処理を完了する。
【００３７】
【発明の効果】
以上述べた次第で、本発明に係るキー預かりボックスを備えた駐車場管理装置によれば、利用客から預かった車両のキーをキーボックスに入れて保管するだけではなく、入庫時には、駐車券の発券に従って指定された機械式駐車パレット、又は、平面駐車スペースの番号に相当するキーボックスの扉を開いて、キーの預け入れを促し、出庫時には駐車料金の精算に従って当該ボックスの扉を開いて、預けたキーの取出しを促すため、利用客から預かったキーを取り違えることがなく、係員によるキーの保管を安全、確実に行って、駐車場への車両の入出庫管理作業を迅速に、且つ、正確に行うことができるものであって、駐車用のパレットを使用する機械式駐車場と、駐車スペースへの駐車を行う平面式駐車場のいずれにも使用して、洵に好適なものである。
【図面の簡単な説明】
【図１】本発明を実施した駐車場の一例を示した外観図。
【図２】本発明に係るキー預かりボックスを備えた駐車場管理装置の全体を説明した構成図。
【図３】管理コンピュータの表示部に表示される入出庫管理画面の一例を示した正面図。
【図４】本発明の電機的構成を説明したブロック図。
【図５】本発明による入庫処理の手順を説明したフローチャート。
【図６】本発明による出庫処理の手順を説明したフローチャート。
【符号の説明】
ＰＫ　　　　　　駐車場設備
１　　　　　　　管理コンピュータ
１０　　　　　　駐車券発行機
１１，１２　　　発券釦
２０　　　　　　自動料金精算機
３０　　　　　　キー預かりボックス
３１　　　　　　キーボックス
３１Ｓ　　　　　扉
【図１】
2004062292.tif 000003
【図２】
2004062292.tif 000004
【図３】
2004062292.tif 000005
【図４】
2004062292.tif 000006
【図５】
2004062292.tif 000007
【図６】
2004062292.tif 000008